(57)【特許請求の範囲】
【請求項１】
ネットワークにおける測定報告アクティベーションの方法であって、
ホーム加入者サーバに同意情報が提供されるステップと、
前記ホーム加入者サーバがＩＭＳＩベースアクティベーション要求を受信するステップと、
前記ホーム加入者サーバが測定報告に同意する同意情報が提供されている加入者に対して前記アクティベーション要求の少なくとも一部が適用されるかどうかをチェックするステップと、
を含み、
前記チェックに基づいて、
前記測定報告に同意する同意情報が提供されている場合、当該加入者に関する測定報告を行うことができるように前記ＩＭＳＩベースアクティベーション要求を可能にするステップと、
前記測定報告に同意する同意情報が提供されていない場合、前記ホーム加入者サーバは、前記ＩＭＳＩベースアクティベーション要求がモビリティ管理エンティティに送信される前に前記ＩＭＳＩベースアクティベーション要求を拒否し、結果として前記ＩＭＳＩベースアクティベーション要求は前記モビリティ管理エンティティに送信されないステップ、
が実行される方法。
【請求項２】
前記測定報告に同意する同意情報が提供されている場合、前記ネットワーク要素が、前記加入者が登録されているモビリティエンティティを識別する、請求項１に記載の方法。
【請求項３】
前記ネットワーク要素は、前記モビリティエンティティに前記アクティベーション要求を送信し、該モビリティエンティティが、前記加入者にサービスを提供している関連の基地局制御機能に前記アクティベーション要求を送ることができる、請求項２に記載の方法。
【請求項４】
前記測定報告に同意する同意情報が提供されていない場合には、前記加入者に関する測定報告を行うことができるようにするための前記アクティベーション要求を可能にせず、これには、前記アクティベーション要求を送信して測定を実行するが、前記測定を前記加入者の識別子とは関連付けないようにすることを含む、請求項１から３の何れかに記載の方法。
【請求項５】
前記アクティベーション要求は、エリアベースアクティベーション要求であり、該エリアベースアクティベーション要求は、複数の加入者端末に関する測定を開始し、当該測定が行われた後に対応する複数の加入者に関する同意情報のチェックを行うことが可能である、請求項１から４の何れかに記載の方法。
【請求項６】
前記同意情報がコアネットワーク要素に提供される、請求項１から５の何れかに記載の方法。
【請求項７】
前記同意情報が加入者データベースに提供される、請求項１から６の何れかに記載の方法。
【請求項８】
前記同意情報が、第１のネットワーク要素に提供され、次いで追加的に第２のネットワーク要素に提供される、請求項１から７の何れかに記載の方法。
【請求項９】
前記同意情報がモビリティエンティティに提供される、請求項１から８の何れかに記載の方法。
【請求項１０】
前記同意情報は、前記加入者が位置更新応答メッセージにおいて登録されているモビリティエンティティに送信される、請求項１から９の何れかに記載の方法。
【請求項１１】
前記アクティベーション要求が、測定データを前記加入者の識別子と関連付けることによって可能となる、請求項１から１０の何れかに記載の方法。
【請求項１２】
エリアベースアクティベーションの場合において、モビリティエンティティが、前記加入者が使用しているモバイル端末によって実行されることになる測定に関する同意を対象となる前記加入者が提供しているかどうかをチェックし、提供している場合には、前記モビリティエンティティが加入者識別情報を測定収集エンティティに送信し、前記モバイル端末によって収集される測定を前記加入者識別と関連付けるようにする、請求項１１に記載の方法。
【請求項１３】
同意情報を受信するステップと、
ネットワーク内で測定報告ＩＭＳＩベースアクティベーション要求を受信するステップと、
測定報告に同意する同意情報が提供されている加入者に対して前記ＩＭＳＩベースアクティベーション要求の少なくとも一部が適用されるかどうかをチェックするステップと、を実施可能であって、
前記チェックに基づいて、
前記測定報告に同意する同意情報が提供されている場合に、前記加入者に関する測定報告を行うことができるように前記ＩＭＳＩベースアクティベーション要求を可能にするステップと、
前記測定報告に同意する同意情報が提供されていない場合、前記ホーム加入者サーバは、前記ＩＭＳＩベースアクティベーション要求がモビリティ管理エンティティに送信される前に前記ＩＭＳＩベースアクティベーション要求を拒否し、結果として前記ＩＭＳＩベースアクティベーション要求は前記モビリティ管理エンティティに送信されないステップ、
が実行されるホーム加入者サーバ。
【請求項１４】
管理システム、ホーム加入者サーバ、及び無線アクセスネットワーク要素を備えた通信ネットワークであって、前記ホーム加入者サーバが、
同意情報を受信するステップと、
ネットワーク内で管理システムから測定報告ＩＭＳＩベースアクティベーション要求を受信するステップと、
測定報告に同意する同意情報が提供されている加入者に対して前記ＩＭＳＩベースアクティベーション要求の少なくとも一部が適用されるかどうかをチェックするステップと、
を実施可能であって、
前記チェックに基づいて、
前記測定報告に同意する同意情報が提供されている場合には、前記加入者に関する測定報告を行うことができるように無線アクセスネットワーク要素と通信することによって前記ＩＭＳＩベースアクティベーション要求を可能するステップと、
前記測定報告に同意する同意情報が提供されていない場合、前記ホーム加入者サーバは、前記ＩＭＳＩベースアクティベーション要求がモビリティ管理エンティティに送信される前に前記ＩＭＳＩベースアクティベーション要求を拒否し、結果として前記ＩＭＳＩベースアクティベーション要求は前記モビリティ管理エンティティに送信されないステップ、
が実行される通信ネットワーク。
【請求項１５】
コンピューティングシステム上で実行された時に、ネットワークにおける測定報告アクティベーションの方法を実行するソフトウェアコードを含むコンピュータプログラムであって、前記方法が、
ホーム加入者サーバに同意情報が提供されるステップと、
前記ホーム加入者サーバがＩＭＳＩベースアクティベーション要求を受信するステップと、
前記ホーム加入者サーバが測定報告に同意する同意情報が提供されている加入者に対してアクティベーション要求の少なくとも一部が適用されるかどうかをチェックするステップと、
を含み、
前記チェックに基づいて、
測定報告に同意する同意情報が提供されている場合に、前記加入者に関する測定報告を行うことができるように前記ＩＭＳＩベースアクティベーション要求を可能にするステップと、
前記測定報告に同意する同意情報が提供されていない場合、前記ホーム加入者サーバは、前記ＩＭＳＩベースアクティベーション要求がモビリティ管理エンティティに送信される前に前記ＩＭＳＩベースアクティベーション要求を拒否し、結果として前記ＩＭＳＩベースアクティベーション要求は前記モビリティ管理エンティティに送信されないステップ、
が実行されるコンピュータプログラム。
【発明の詳細な説明】
【技術分野】
【０００１】
本発明は、通信システムにおける報告に関する。本発明は、詳細には、限定ではないが、移動通信システムにおける測定報告に関する。本発明は、セルラ移動通信システムに適用することができる。
【背景技術】
【０００２】
無線通信システムを提供するためのネットワーク計画における重要な側面は、必要なカバレッジをネットワークが提供することを保証することである。このことは、一様なカバレッジ又は非一様なカバレッジ、例えば、頻繁に無線通信トラヒックが発生しているエリア内で提供されるよりも良好なカバレッジを提供することとすることができる。この意味におけるカバレッジは、一般に、セル内のモバイル端末が受ける信号強度を指す。更にカバレッジは、インターセルハンドオーバの信頼性を指すことができる。カバレッジは、リンク品質に関連することができる。
【０００３】
過去数年にわたってネットワーク計画においてかなりの改善がなされており、計画したネットワークに望ましいカバレッジを持たせることを可能にしているが、このような計画に従って実施されるネットワークの動作は、厳密には目的通りになっていない可能性がある。このため、モバイルネットワーク運用事業者は、特定の試験装置を備えた車両がモバイルネットワークによって包含されるエリア内で移動して、信号強度のようなパラメータの形態で地理上の様々な位置での測定データを収集するドライブテストと呼ばれる手続きを利用している。このことは、モバイルネットワーク運用事業者が、カバレッジホール、すなわちハンドオーバが失敗する傾向のある場所のような問題を識別し、例えば、基地局の追加又は既存の基地局のビーム方向の変更を行うことによって、このような問題を改善するためにネットワークの構成を変更することができることを意味する。
【０００４】
ドライブテストを実行して測定データを得ることは、必要な装置のコストの観点、及び試験者又は業者の時間の観点の両方において高価であり、不都合なものである。従って、実施されるドライブテストの量を最小限に抑えることが望ましい。３ＧＰＰ（第３世代移動体通信システムの標準化プロジェクト）では、（ユーザ装置又はＵＥとも呼ばれる）加入者モバイル端末を使用して、該端末とモバイルネットワークの無線アクセスネットワーク（ＲＡＮ）との間での無線インタフェース上での接続品質に関する測定データを提供し、ネットワークのネットワーク管理システム内でこのようなデータを使用してドライブテストを実行する必要性を軽減することが提案されている。このことは、ドライブテストの必要性を完全に排除することはできないが、カバレッジアセスメントの大部分が、加入者モバイル端末との通信においてＲＡＮによって得られる自動収集測定データに基づいて実施できる場合には、かなりのコスト節減の余地があることが求められている。加入者モバイル端末から必要な測定データを得て、必要とされるドライブテストの量を最小限に抑える能力は、ドライブテストの最小化（ＭＤＴ）機能と呼ばれている。
【０００５】
ＭＤＴ測定報告は、１つのセル若しくはセルの所定のリスト内でデータを集めるため、又は特定のモバイル端末に関して端末が移動した先のセルに関係なくデータが収集される加入者に関するデータを集めるために実施することができる。各場合において、ＭＤＴ測定報告は、セル若しくはエリアベース報告の場合においては直接的に、又は個別の加入者ベース報告の場合においてはコアネットワーク内でネットワーク要素を介して間接的に、ＲＡＮ内のネットワーク要素にＭＤＴ測定要求を送信する管理エンティティによって起動される。
【０００６】
ＲＡＮ内の関連するネットワーク要素は、基地局タイプネットワーク要素の無線リソース管理制御機能である。これは、ｅＮｏｄｅＢ（ｅＮＢ）とすることができる。単純にするために、以下において「基地局」という用語は、基地局に組み込まれる無線リソース管理制御機能を有する基地局を指し、更に、制御する基地局タイプネットワーク要素に関する別個のエンティティのような機能を指すことを意図している。
【０００７】
管理エンティティは、一般に、運用、管理、保守（ＯＡＭ）機能に存在し、管理システムとも呼ばれている。
【０００８】
ＲＡＮ要素がＭＤＴに関して構成されるようになると、特定のモバイル端末又は選択されたモバイル端末をアクティベーションし、ＭＤＴ測定を実行しＭＤＴ測定データを提供する役割を果たす。ＲＡＮ要素は、管理エンティティ、詳細には管理システムに存在するトレース収集エンティティ（ＴＣＥ）にＭＤＴ測定データを提供し、該エンティティは、ＭＤＴ測定データを収集して処理し、位置ベースネットワークパフォーマンスに関する結果を生成する。
【０００９】
モバイル端末、ひいては該端末を操作する加入者からＭＤＴ測定を関連付けることができるので、ＭＤＴは、地理上の位置及び当該位置における対応する時刻（タイムスタンプ）と共に加入者識別についての情報を提供することができる。従って、ＭＤＴを使用して、ネットワーク運用事業者が、所与の使用者が滞在している時間及び場所を追跡することを可能にすることができる。このことは、プライバシの問題が発生し、ユーザのモバイル端末をＭＤＴに使用することについてユーザ同意を得る必要性、又は更に以前に得られたユーザ同意を取り消す必要性がある。従って、特定の地域又は国における規制では、所与の加入者に対するＭＤＴ動作を許可する事前のユーザ同意が必要とされている。
【００１０】
ＭＤＴを開始する前にこのようなユーザ同意を得るため、又は以前に得られたユーザ同意を取り消すために、顧客配慮のプロセスを使用することが提案されている。これは、ネットワーク運用事業者の代表又は仲介業者とユーザとの間の相互作用中に同意を求めることができる。例えば、同意は、加入者がネットワーク運用事業者と加入を交わした時点で得ることができる。このようなアプローチは、一般に、顧客（加入者）が、直接的又は間接的にネットワーク運用事業者とコンタクトして、何れかの所与の同意を引き出すことを仮定している。
【００１１】
同意を得る別の方法は、モバイル端末に存在する機能に依存することである。ＭＤＴ測定を実行する前に、このようなモバイル端末は、グラフィカルユーザインタフェース（ＧＵＩ)を介してユーザ同意を要求する機能を使用する。しかしながら、このことは、ＭＤＴ可能な全てのデバイスにこのような機能及び対応するＧＵＩを実行することを要求することになるので、高コストの解決手段であることを意味する。更に、地域的なカスタマイズ、言語、その他の観点と、地域的な規制に従った方法で同意を得る必要性の両方の観点において、複数の国に特有のＧＵＩがある必要がある。従って、好ましい解決手段は、ネットワーク運用事業者が顧客配慮プロセスを通してユーザ同意を得ることである。
【発明の概要】
【００１２】
本発明の第１の態様によれば、ネットワークにおける測定報告アクティベーションの方法が提供され、該方法が、
同意情報をネットワーク要素に提供するステップと、
アクティベーション要求を受信するステップと、
測定報告に同意する同意情報が提供されている加入者に対してアクティベーション要求の少なくとも一部が適用されるかどうかをチェックするステップと、
測定報告に同意する同意情報が提供されている場合に、当該加入者に関する測定報告を行うことができるようにアクティベーション要求を可能にするステップと、
を含む。
【００１３】
測定報告に同意する同意情報が提供されている場合、ネットワーク要素は、加入者が登録されているモビリティエンティティを識別することができる。ネットワーク要素は、モビリティエンティティに対してアクティベーション要求を送信することができ、該モビリティエンティティが、加入者にサービスを提供している関連の基地局制御機能にアクティベーション要求を送ることができる。
【００１４】
好ましくは、測定報告に同意する同意情報が提供されていない場合には、当該加入者に関する測定報告を行うことができるようにするためのアクティベーション要求が可能にされない。このことは、アクティベーション要求を拒否することを含むことができる。これは、アクティベーション要求を送信しないことを含むことができる。これは、アクティベーション要求を送信して測定を実行することを含むが、加入者に関する同意が得られていない場合には、測定と当該加入者の識別子とを関連付けることを含まないようにすることができる。
【００１５】
アクティベーション要求は、加入者に関するものとすることができる。これは、加入者ベース要求とすることができる。アクティベーション要求は、エリアに関するものとすることができる。これは、エリアベース要求とすることができる。エリアベース要求の場合には、複数の加入者端末に対して測定を開始することができる。対応する複数の加入者に関して同意情報をチェックすることは、このような測定が行われた後に行うことができる。
【００１６】
同意情報は、ネットワーク要素に提供することができる。同意情報は、加入者データベースに提供することができる。同意情報は、加入者のセットアップ時に提供することができる。同意情報は、後の時点で提供することができる。同意情報は、ユーザがネットワーク運用事業者に問題を通知し、ネットワーク運用事業者が加入者トレースを行うことを決定する結果として提供することができる。同意情報は、加入者管理機能によって提供することができる。
【００１７】
同意情報は、コアネットワーク要素に提供することができる。同意情報は、主要又はマスターデータベース内に保持することができる。同意情報は、１つのネットワーク要素に提供することができ、次いで追加的に別のネットワーク要素に提供することができる。同意情報は、追加的に別のコアネットワーク要素に提供することができる。同意情報は、追加的にモビリティエンティティに提供することができる。チェックステップは、同意情報が提供されているネットワーク要素にて行うことができる。チェックステップは、同意情報が追加的に提供されているネットワーク要素にて行うことができる。
【００１８】
アクティベーション要求は、関連する基地局制御機能に送ることによって可能にすることができる。アクティベーション要求は、測定データを加入者の識別子と関連付けることによって可能にすることができる。このことは、測定収集エンティティにおいて行うことができる。
【００１９】
好ましくは、アクティベーション要求は、モビリティエンティティに送信され、該エンティティは、次に、加入者が測定報告に同意しているかどうかのチェックを実行する。このような場合、同意情報は、モビリティエンティティに転送されて、該モビリティエンティティのビジター加入者データベース内に格納することができる。同意情報は、加入者が登録されているモビリティエンティティに送信することができる。同意情報は、位置更新応答メッセージで送信することができる。このことは、位置／エリアに関する更新メッセージに対する応答とすることができる。同意情報は、加入者データと共に送信することができる。
【００２０】
好ましくは、エリアベースアクティベーションの場合には、モビリティエンティティは、対象の加入者が使用しているモバイル端末によって実行される測定に関する同意を提供しているかどうかをチェックする。モビリティエンティティは、加入者識別情報を測定収集エンティティに送信して、モバイル端末により収集された測定を加入者識別子と関連付けるようにすることができる。更に、該モビリティエンティティは、測定識別子を送信することができる。
【００２１】
本方法は、同意が得られていることを確認する自動化プロセスを提供することができる。同意情報は、加入者データに追加することができる。
【００２２】
好ましくは、測定報告は、モバイル端末とネットワークとの間での無線インタフェース状態に関する測定データを提供するように指示されているモバイル端末によって行われる測定に関するものである。
【００２３】
本発明は、ＬＴＥ及び３Ｇシステムの各々に適用することができる。本発明は、この両方のシステムに適用することができる。
【００２４】
本発明の第２の態様によれば、ネットワーク要素が提供され、該ネットワーク要素は、
同意情報を受信するステップと、
ネットワーク内で測定報告アクティベーションを受信するステップと、
測定報告に同意する同意情報が提供されている加入者に対してアクティベーション要求の少なくとも一部が適用されるかどうかをチェックするステップと、
測定報告に同意する同意情報が提供されている場合、当該加入者に関する測定報告を行うことができるようにアクティベーション要求を可能にするステップと、
を実施可能である。
【００２５】
好ましくは、ネットワーク要素は、加入者データベースである。ネットワーク要素は、モビリティエンティティとすることができる。
【００２６】
本発明の第３の態様によれば、管理システム、コアネットワーク要素、及び無線アクセスネットワーク要素を備えた通信ネットワークが提供され、該コアネットワーク要素は、
同意情報を受信するステップと、
ネットワーク内で管理システムから測定報告アクティベーションを受信するステップと、
測定報告に同意する同意情報が提供されている加入者に対してアクティベーション要求の少なくとも一部が適用されるかどうかをチェックするステップと、
測定報告に同意する同意情報が提供されている場合、当該加入者に関する測定報告を行うことができるように、無線アクセスネットワーク要素と通信することによってアクティベーション要求を可能するステップと、
を実施可能である。
【００２７】
好ましくは、コアネットワーク要素は、加入者データベースである。コアネットワーク要素は、モビリティエンティティとすることができる。
【００２８】
本発明の第４の態様によれば、コンピューティングシステム上で実行された時に、ネットワークにおける測定報告アクティベーションの方法を実行するソフトウェアコードを含むコンピュータプログラム製品が提供され、該方法は、
同意情報をネットワーク要素に提供するステップと、
アクティベーション要求を受信するステップと、
測定報告に同意する同意情報が提供されている加入者に対してアクティベーション要求の少なくとも一部が適用されるかどうかをチェックするステップと、
測定報告に同意する同意情報が提供されている場合、当該加入者に関する測定報告を行うことができるようにアクティベーション要求を可能にするステップと、
を含む。
【００２９】
好ましくは、コンピュータプログラム製品は、本方法のステップを実行することが可能な実行可能コード部分を有する。
【００３０】
好ましくは、コンピュータプログラム製品は、コンピュータ読み取り可能媒体に格納される。コンピュータプログラム製品は、非一時的な方法で格納することができる。
【図面の簡単な説明】
【００３１】
ここで、本発明の実施形態を例証として添付図面を参照しながら説明する。
【００３２】
【図１】本発明によるシステムである。
【図２】同意ベースＭＤＴアクティベーション動作を示すメッセージフロー図である。
【発明を実施するための形態】
【００３３】
ここで、図１を参照して本発明を説明する。図１は、ＲＡＮ１０２及びコアネットワーク１０４を含むＬＴＥモバイル通信ネットワーク１００を示す。ＲＡＮは、セル１０６’、１０８’、及び１１０’内に存在するモバイル端末１１２、１１４、及び１１６に対して無線アクセスを可能にする複数の基地局１０６、１０８、及び１１０を有し、コアネットワーク１０４は、呼スイッチング／ルーティング及び呼制御、サービス提供、認証及び課金、並びに他のネットワークへのアクセスを可能にする相互接続を提供する機能を有する。本実施形態において、基地局はｅＮＢである。
【００３４】
加えて、運用、管理、保守（ＯＡＭ）機能１１８は、コアネットワーク１０４及びＲＡＮ１０２にリンクされ、ＲＡＮ１０２及びコアネットワーク１０４のネットワークノードを構成し提供することが可能である。制御のこのような態様は、図１において、ＯＡＭ機能１１８とＲＡＮ１０２及びコアネットワーク１０４との間で点線で示されている。
【００３５】
図１においてＯＡＭ機能１１８は、単一のエンティティとして示しているが、要素管理（ＥＭ）レイヤとネットワーク管理（ＮＭ）レイヤとに分割してもよい。ＥＭレイヤは分散型エンティティとみなすことができ、ＮＭは集中型エンティティとみなすことができる。
【００３６】
ＥＭレイヤ及びＮＭレイヤは統合参照ポイント（ＩＲＰ）によって分けられるＩｔｆ−Ｎインタフェースを介して通信する。この場合において、ネットワーク要素（ＮＥ）と関連しているＩＲＰエージェントは、例えばＮＥの動作に関して、ＮＭレイヤ内に存在するＩＲＰマネージャに通知を送ることが可能であり、ＩＲＰマネージャは、ＩＲＰエージェントにコマンドを送信してＮＥの動作を制御することが可能である。ＩＲＰエージェントは、ｅＮＢのようなＮＥの一部又はＥＭエンティティとすることができる。
【００３７】
ＯＡＭ機能１１８は、ネットワーク統計情報収集、アラーム監視、及び場合のロギングのような様々な関連タスクを実行する。結果として得られる統計情報、アラーム、及びログは、ネットワーク運用事業者がネットワーク１００の正常性及びパフォーマンスを監視するために使用される。コアネットワーク１０４及びＯＡＭ機能１１８の両方は、ネットワーク運用事業者のドメイン内に存在し、共に該事業者の制御下にあることができるが、ＯＡＭ機能１１８は、コアネットワーク１０４とは別個のシステムである。
【００３８】
ＯＡＭ機能１１８は、ＭＤＴ測定エンティティ１２０に提供される。エンティティ１２０は、ネットワーク１００内でのＭＤＴ動作、例えば、特定の加入者又はネットワーク１００の特定の地理上のエリアに関してＭＤＴ測定値を収集するよう構成する要求／指示を受信し、次いで、必要なＭＤＴ要求を送信し、１又は複数の基地局が特定のモバイル端末又は１又は複数の特定の位置に存在するモバイル端末によるＭＤＴ測定をアクティベーションを可能にするよう制御する。ＯＡＭ機能１１８内のＭＤＴ管理エンティティ１２０は、ＭＤＴ関連コマンドを受信して適切な動作を行う基地局内のＭＤＴユニット１２２と協働する。例えば、特定の基地局内のＭＤＴユニット１２２は、ＭＤＴ測定を特定のセル内で実行するようになるコマンドを受信し、結果として、該セル内に位置する適切なモバイル端末に個別のＭＤＴ構成を適用し、これにより、モバイル端末がＭＤＴ測定の実行を開始しＭＤＴ報告を基地局に送るようになる。基地局は、ＭＤＴ測定を受信する形式で送信し、或いはこれらＭＤＴ測定を照合又は他の方法で処理し、次いで、ＯＡＭ機能１１８にＭＤＴ測定を送信し、ここでＭＤＴ測定を処理して、これらを用いてネットワーク１００を管理する際に使用するのに適した出力データを生成することができる。
【００３９】
ここで、本発明は、最初に加入者ベースＭＤＴ測定報告に関して、次にエリアベースＭＤＴ測定報告に関して同意を得ることを参照しながら説明される。
【００４０】
加入者ベースＭＤＴ測定報告に関する同意を得ることを図２に示す。この図は、同意ベースＭＤＴアクティベーション動作２００を示すメッセージフロー図である。この図から分かるように、動作は、ＯＡＭ２１０、ホーム加入者サーバ（ＨＳＳ）２１２、（この図ではＭＭＥ／ＳＧＳＮ／ＭＳＣ−Ｓとして識別される）モビリティエンティティ２１４、及び（この図ではｅＮＢ又はＲＮＣとして識別される）基地局制御機能２１６を含むネットワーク内で行われる。
【００４１】
図１及び図２のシステムは、異なる形式で表されているが、対応している点は理解されるであろう。
【００４２】
１つのみのモビリティエンティティ２１４及び基地局制御機能が示されているが、ネットワーク内にはこれらの要素の各々が複数存在してもよい点は理解されるであろう。ＨＳＳ２１２及びモビリティエンティティ２１４は、コアネットワーク内に配置され、基地局制御機能２１６は、ＲＡＮ内に配置される。
【００４３】
モビリティエンティティ２１４は、モビリティ管理を担う複数のコアネットワークエンティティの各々を表す一般的用語である。これらエンティティは、モビリティ管理エンティティ（ＭＭＥ）、サービングＧＰＲＳサポートノード（ＳＧＳＮ）、及びモバイルスイッチングセンタサーバ（ＭＳＣ−Ｓ）とすることができる。図２の動作において利用されている特定のコアネットワークエンティティは、加入者がどの無線アクセスネットワーク内に存在しているか、及びどのタイプの接続が行われているかに依存している。加入者がＬＴＥ  Ｅ−ＵＴＲＡＮ内に存在している場合には、コアネットワークエンティティはＭＭＥであり、加入者が第３世代（３Ｇ）ＵＴＲＡＮ内に存在している場合には、コアネットワークエンティティは、ＳＧＳＮ又はＭＳＣ−Ｓとすることができ、ＳＧＳＮはデータ接続の場合に使用され、ＭＳＣ−Ｓは音声呼の場合に使用される。このため、使用されている基地局のタイプは、加入者が３Ｇ内に存在しているか又はＬＴＥ  ＲＡＮ内に存在しているかに依存しているので、図２内の基地局はｅＮＢ／ＲＮＣと呼ばれる。
【００４４】
ＨＳＳは、ネットワークに関する主要又はマスター加入者データベースである。しかしながら、モビリティエンティティ２１４を含む特定のネットワーク要素が通常は少なくとも一時的に制御下にある加入者及び／又は特定のコアネットワーク要素が担うエリア内に位置している加入者についての情報を含む、自己の「ビジター加入者データベース」を有するので、ＨＳＳは、唯一の加入者データベースではない。
【００４５】
本発明によれば、ＨＳＳ２１２は、特定加入者２２０についての同意情報が提供される。これは、ユーザ同意提供として図２に示している。この図においては、加入者管理（ＳｕＭ）機能とＨＳＳ２１２との間での相互作用により提供される加入者管理動作の一部として行われることが示されている。このような機能は一般に、加入者データをＨＳＳに提供するために使用することができるビジネスサポートシステム（ＢＳＳ）によって提供される。このような機能は、ＯＡＭ２１０と関連付けることができる。同意情報を提供することは、加入者のセットアップ中に行うことができ、ここでネットワーク運用事業者は、ＳｕＭ機能を使用してＨＳＳ２１２にアクセスして、加入者情報を提供し、国際モバイル加入者識別番号（ＩＭＳＩ）のような加入者情報識別子、及び更に当該加入者が利用可能なサービスをＨＳＳ２１２に追加する。しかしながら、以下に説明するように、同意情報は、適切な時間において、例えばネットワーク運用事業者がユーザ同意を得る度にＳｕＭが追加することができる。
【００４６】
同意情報は、加入者を識別し、更に該加入者のモバイル端末がＭＤＴ測定を実行し提供するために使用されることに対して加入者が所与の同意を有しているか、又は有していないかどうかに関する指示を識別する。このことは、加入者情報をセットアップする時にＨＳＳ２１２に追加することに加えて、後の段階においても行うことができる。例えば、このことは、ユーザがネットワーク運用事業者に問題を通知し、該ネットワーク運用事業者が加入者トレースを行うことを決定する結果として行うことができる。同意は、このようなプロセス中に提供され、明示的又は暗示的にＨＳＳに提供することができる。従って、このことは、加入者情報セットアップ動作というよりもむしろ加入者情報変更動作の一部とすることができる。
【００４７】
加入者情報セットアップ中に同意が得られなかった既存の加入者の場合には、同意は、上述の障害追跡調査プロセスの間、又は加入者とネットワーク運用事業者との間の相互作用の一部として得ることができる。このような同意は、例えば、加入者とネットワーク運用事業者との間で加入者情報を変更することについての取り決めがある場合、あらゆる好適な時に行うことができる。
【００４８】
従って、ＳｕＭ機能は、ユーザ同意を扱うことが可能であり、ネットワーク運用事業者が特定のユーザについてのユーザ同意を管理可能にすることは、認識されるであろう。
【００４９】
提供動作２２０において、ユーザ同意についての指示は、ＨＳＳ内で当該加入者と関連するレコードに格納される（２２２）。このようにして、同意情報は、ＨＳＳ内に格納されている加入者情報データの一部とみなすことができる。
【００５０】
時間的に後の時点で、特定の加入者に対して実行されることになるＭＤＴ測定に送出される要求が存在することができる。これは、例えば、加入者が特定のエリアにおけるカバレッジ不良又はより一般的な問題についてクレームをつけることによって開始することができる。結果として、ＯＡＭ２１０は、ＭＤＴ構成情報を含むＩＭＳＩベースＭＤＴアクティベーション指示２２４をＨＳＳ２１２に送信する。ＭＤＴ構成情報を加入者データベース内に自動的に格納して、ＭＤＴアクティベーション指示により加入者が登録されているＭＭＥに転送するのではなく、ＨＳＳ２１２は、内部チェック２２６を実行して当該ユーザについての同意ステータスを判定する。その結果は、同意が得られない又は同意が得られたとすることができる。前者の場合において、同意が得られない場合には、ＨＳＳ２１２は、ＭＤＴアクティベーション指示がＭＭＥに送信される前にＭＤＴアクティベーション指示を拒否（２２８）し、結果としてアクティベーション指示は送信されない。同意が保留されている又は同意情報がこれまでに一度もＨＳＳ２１２に提供されていないと加入者が具体的に明言した場合には、同意は得られないとすることができる。後者の場合には、すなわち「ユーザ同意が得られた」２３０場合、ＨＳＳは、当該加入者に対してＭＤＴ測定を行うことをアクティベーションできると判断し、ＭＤＴ構成情報を格納して、次に当該加入者が登録されているＭＭＥを識別する。ＨＳＳは、ＭＤＴアクティベーション指示を関連するＭＭＥに送信し（２３２）、該ＭＭＥは次に、加入者にサービスを提供している関連の基地局制御機能２１６にＭＤＴアクティベーション指示を送る（２３４）ことができる。
【００５１】
次いで、ＭＤＴアクティベーションは、既知の方法で処理することができ、モビリティエンティティ２１４は、関連する基地局制御機能２１６に指示する。
【００５２】
ブロック２２６における決定「ｎｏ」の場合には、ステップ２２８が実行されて、更なるステップ２３０、２３２、及び２３４は行われず、ブロック２２６における決定「ｙｅｓ」の場合には、ステップ２２８は実行されず、更なるステップ２３０、２３２、及び２３４が行われる点に留意されたい。
【００５３】
上記では、加入者ベースＭＤＴ測定に関するＭＤＴアクティベーション指示が送信されて処理するＨＳＳ２１２に関して説明した。システム１００は、指示が直接モビリティエンティティ２１４に直接、従ってＨＳＳ２１２を迂回して送られるように構成することができる。このような場合、ＯＡＭ２１０は、ＭＤＴ構成情報を含むＩＭＳＩベースＭＤＴアクティベーション指示２２４をモビリティエンティティ２１４に送信し、該モビリティエンティティは、次に、加入者が同意したかどうかのチェックを実行する。このチェックによって当該同意が得られたことが明らかになった場合には、モビリティエンティティ２１４は、ＭＤＴアクティベーション指示を関連の基地局制御機能２１６に送信する。このチェックによって当該同意が得られなかったことが明らかになった場合には、モビリティエンティティ２１４は、ＭＤＴアクティベーション指示を関連の基地局制御機能２１６に送信しない。モビリティエンティティ２１４は、「アクティベーション拒否」通知を返すことができる。
【００５４】
モビリティエンティティ２１４によって実行されることになる同意チェック機能を有するシステム１００において、同意情報は、ここでもＳｕＭ機能を使用してＨＳＳに追加される。しかしながら、同意情報はまた、モビリティエンティティ２１４が利用可能となるようにする必要があり、従って、該同意情報がモビリティエンティティ２１４に転送されて、モビリティエンティティ２１６のビジター加入者データベース内に格納される。同意情報は、加入者が登録されているモビリティエンティティ２１４にのみ送信される。このことは、実行された関連の接続手続きにより認知される。簡単に説明すると、加入者に対処するモビリティエンティティ２１４、すなわちＭＭＥ、ＳＧＳＮ、又はＭＳＣ−Ｓは変化する可能性がある。この場合、モバイル端末は、端末が現在位置しているエリアのモバイルエンティティに適切なエリア更新を送信する。３Ｇシステムでは、位置又はルーティングエリア更新がＭＳＣ−Ｓ又はＳＧＳＮにそれぞれ送信される。ＬＴＥシステムでは、トラッキングエリア更新がＭＭＥに送信される。これらの更新は、モビリティエンティティ２１４に対して、モバイル端末が現在制御下にある位置に存在していることを通知する。モビリティエンティティ２１４がエリア更新を受信すると、モビリティエンティティ２１４は、当該モバイル端末に関する何らかのデータを有しているかどうかをチェックし、有していない場合には、位置更新要求メッセージによりＨＳＳ２１２とコンタクトを取る。このメッセージの送信は２つのことを行う。モビリティエンティティ２１４は、該モビリティエンティティ２１４が加入者に対処する情報に関してＨＳＳ２１２を更新し、ＨＳＳ２１２が加入者データを含む位置更新応答メッセージに関して応答することを可能にする。本発明によれば、このデータは同意情報を含むことができる。該データは、位置更新応答メッセージ内で送ることができ、或いは、別個のメッセージで送信することができる。
【００５５】
システム１００は、ＨＳＳ２１２において、若しくは２１４において、或いはその両方において、ＭＤＴ測定に関する同意情報のチェックを実行するように構成することができ、チェックの位置は、ＭＤＴアクティベーション指示がＨＳＳ２１２又はモビリティエンティティ２１４の何れに送信されたかなどのようなＭＤＴアクティベーション指示の特性に基づいて、或いは、何らかの他の基準に基づいて決定されることは理解されるであろう。
【００５６】
ここで、エリアベースＭＤＴ測定報告の同意を得ることについて説明する。ＬＴＥシステムにおけるエリアベースＭＤＴデータ収集に関するアクティベーションは、第３世代移動体通信システムの標準化プロジェクト、技術仕様書ＴＳ３２．４２２に記載されており、その具体的な詳細は、セクション４．１．１．６ａに記載されている。
【００５７】
エリアベースＭＤＴ測定の場合、モバイル端末は、加入者に基づいて選択されるのではなく、端末の位置（又は複数の位置）に基づいて選択される。単一のエリアベースアクティベーション指示は、関連する基準により選択された複数のモバイル端末を指示する基地局制御機能によって使用され、当該端末を使用する加入者に関する情報が利用可能となる前に、エリア内でＭＤＴ測定報告を収集することができる。この場合、モバイル端末のうちの１つによってｅＮＢに提供されているＭＤＴ測定報告を辿り、ｅＮＢが、ＭＭＥのようなモビリティエンティティに対してＭＤＴ測定を収集するのに使用されるモバイル端末を示す場合、ＭＭＥは、このモバイル端末に関する加入者識別情報（例えばＩＭＳＩ）を決定して、この加入者識別情報をトレース識別子と共にトレース収集エンティティ（ＴＣＥ）に提供可能にすることができる。この同様の手続きは、複数の加入者に対して実行することができる。測定モバイル端末に関する加入者識別情報は、一斉に、或いは幾つかのメッセージでトレース収集エンティティに送信することができる。測定モバイル端末の全てに関するＭＤＴ測定自体は、後で１又はそれ以上のメッセージで送信することもできる。
【００５８】
しかしながら、モバイル端末に関する加入者識別情報が得られた時に、ＭＭＥはまた、加入者の使用中のモバイル端末によって実行されることになるＭＤＴ測定に関しての同意を特定の加入者が提供しているかどうかをチェックする。この特定の加入者が所与の同意を有していることをモビリティエンティティが判断した場合、ＭＭＥは、加入者識別情報をトレース識別子と共にトレース収集エンティティに送信し、ある時点において、当該加入者のモバイル端末により収集されるＭＤＴ測定のセットをトレース識別子を用いて対応する加入者識別子と関連付けることができるようになる。この特定の加入者が所与の同意を有していないことをモビリティエンティティが判断した場合には、ＭＭＥは、当該加入者についての加入者識別情報をトレース収集エンティティに送信しない。
【００５９】
この段階において、実施形態に応じて様々な動作を行うことができる。１つの実施形態において、特定加入者のモバイル端末により収集されるＭＤＴ測定のセットは、トレース収集エンティティに送信することができるが、この加入者識別情報がトレース収集エンティティには提供されないので、対応する加入者識別情報と関連付けることはできない。別の実施形態において、ｅＮＢは、トレース収集エンティティにおいて利用可能な対応する加入者識別情報が存在しないので、特定加入者のモバイル端末により収集されたＭＤＴ測定のセットをトレース収集エンティティに送信しないように指示される。
【００６０】
エリアベースＭＤＴ測定に関する同意を扱う際には、同意情報のチェックがＭＭＥで行われるので、同意情報はＨＳＳからＭＭＥに事前に転送される点は理解されるであろう。このことは、加入者ベースＭＤＴ測定に関するモビリティエンティティでの同意チェックに関する上記の説明に相当する様式で行うことができる。
【００６１】
エリアベースＭＤＴ測定に関する上記の実施構成は、ＬＴＥシステムに関して説明している。しかしながら、これらは、他のシステム、例えば３Ｇシステムにも同様に適用することができ、この場合、基地局制御機能とモビリティエンティティとの間、及び主要又はマスターデータベースとモビリティエンティティとの間で通信が行われる。
【００６２】
ネットワークリソースモデル（ＮＲＭ）に関して考慮すると、ＳｕＭ機能に関する部分は、ユーザ同意提供を包含するよう強化することができる。例えば、あらゆる適切なオブジェクトにも割り当て可能にすることができる同意情報属性を定義することができる。
【００６３】
本発明は、ＭＤＴ測定を開始する前にユーザ同意を得るためのネットワーク機能を提供する。実際には、本発明は、ＭＤＴ測定が全く実行されないことを排除することができる。
【００６４】
本発明の好ましい実施形態を図示し説明したが、このような実施形態は、単に例証として記載されている点は理解されるであろう。多くの変形形態、変更、及び代替形態が本発明の範囲から逸脱することなく当業者には想起されるであろう。従って、添付の特許請求の範囲は、本発明の精神及び範囲の範疇にある全てのこのような変形形態又は均等形態を包含するものとする。
【図１】
0005896309.tif 000002
【図２】
0005896309.tif 000003